(57)【特許請求の範囲】
【請求項１】
接続具と、前記接続具が嵌合する被接続具とから構成され、前記接続具には接続プラグが挿入可能な差込接続器において、
前記被接続具に設けられた第１の磁石と、
前記接続具に設けられ、前記第１の磁石からの磁力を受ける第２の磁石と、
前記接続具に設けられ、前記第１の磁石と前記第２の磁石で前記嵌合方向とは逆方向に反発力が生じるように、前記第２の磁石を前記第１の磁石に対向させる操作体と、
を備え、
前記接続具は、前記被接続具と対向する正面壁に前記被接続具に挿入可能なプラグ端子を有するとともに、前記正面壁の背面側に位置する背面壁に前記接続プラグが挿入可能な穴を有しており、
前記操作体は、前記接続具における少なくとも前記正面壁と前記背面壁との間の位置する上壁側で操作可能である、
ことを特徴とする差込接続器。
【請求項２】
前記操作体は、前記第１の磁石と前記第２の磁石で前記嵌合方向に吸引力が生じるように、前記第２の磁石を前記第１の磁石に対向させる、ことを特徴とする請求項１に記載の差込接続器。
【請求項３】
前記操作体は、前記第２の磁石をスライドさせて、磁極の位置を移動させる、ことを特徴とする請求項１または２に記載の差込接続器。
【請求項４】
前記操作体は、前記第２の磁石を回転させて、磁極の位置を移動させる、ことを特徴とする請求項１または２に記載の差込接続器。
【発明の詳細な説明】
【技術分野】
【０００１】
本発明は、磁力によって接続具を被接続具から脱着する差込接続器に関する。
【背景技術】
【０００２】
接続具と被接続具においては、接続具の栓刃などを被接続具の挿入孔などに差し込んで、接続具を被接続具に装着している。この種の接続具と被接続具は、安易に接続具が被接続具から外れないように、比較的強固に接続されていた。
【０００３】
たとえば、発変電所（もしくは、電気所）などで使用されるＵリンク（接続具）は、保守点検時等での制御装置のレベル測定時に、測定コードの接続プラグを接続するために制御装置の端子差込板（被接続具）に取り付けられている。制御装置のレベル測定は、装置の運用に支障をきたさないように運転中に行なわれるので、Ｕリンクが抜けてしまうと、運転状態にある装置の通信回線が遮断され、監視制御が不能になるおそれがあることから、容易に端子差込板から引き抜かれることのない構造になっている（例えば、特許文献１参照。）。
【特許文献１】特開２００６−２５３００６号公報
【発明の開示】
【発明が解決しようとする課題】
【０００４】
ところで、制御装置の試験などをする際、外部との回線を切断する必要があるために回線単位で、端子差込板からＵリンクを取り外す必要がある。しかしながら、上記のように容易に引き抜かれないようになっており、しかもＵリンクは小さいため、Ｕリンクを取り外すには大きな指の力が必要であった。さらに、端子差込板には、様々なケーブルなどが取り付けられ、しかもＵリンクが複数密集した状態で装着されているため、ケーブルや他のＵリンクなどが障害となり目的のＵリンクを取り外すのは困難であった。
【０００５】
そこで本発明は、接続具を被接続具から簡単な操作で容易に取り外すことが出来る差込接続器を提供することを目的とする。
【課題を解決するための手段】
【０００６】
請求項１に記載の発明は、接続具と、前記接続具が嵌合する被接続具とから構成され、前記接続具には接続プラグが挿入可能な差込接続器において、前記被接続具に設けられた第１の磁石と、前記接続具に設けられ、前記第１の磁石からの磁力を受ける第２の磁石と、  前記接続具に設けられ、前記第１の磁石と前記第２の磁石で前記嵌合方向とは逆方向に反発力が生じるように、前記第２の磁石を前記第１の磁石に対向させる操作体と、を備え、 前記接続具は、前記被接続具と対向する正面壁に前記被接続具に挿入可能なプラグ端子を有するとともに、前記正面壁の背面側に位置する背面壁に前記接続プラグが挿入可能な穴を有しており、前記操作体は、前記接続具における少なくとも前記正面壁と前記背面壁との間の位置する上壁側で操作可能である、ことを特徴としている。
【０００７】
請求項２に記載の発明は、請求項１に記載の差込接続器において、前記操作体は、前記第１の磁石と前記第２の磁石で前記嵌合方向に吸引力が生じるように、前記第２の磁石を前記第１の磁石に対向させる、ことを特徴としている。
【０００８】
請求項３に記載の発明は、請求項１または２に記載の差込接続器において、前記操作体は、前記第２の磁石をスライドさせて、磁極の位置を移動させる、ことを特徴としている。
【０００９】
請求項４に記載の発明は、請求項１または２に記載の差込接続器において、前記操作体は、前記第２の磁石を回転させて、磁極の位置を移動させる、ことを特徴としている。
【発明の効果】
【００１０】
請求項１に記載の発明によれば、接続具を被接続具から取り外すときに、駆動部によって、第１の磁石と第２の磁石が反発するように第２の磁石を第１の磁石に対向させることで、接続具が被接続具から反発し（離れ）、接続具を被接続具から容易に取り外すことができる。
【００１１】
請求項２に記載の発明によれば、接続具を被接続具に取り付けるときに、駆動部によって、第１の磁石と第２の磁石が吸引し合うように第２の磁石を第１の磁石に対向させることで、接続具が被接続具に吸着され、接続具を被接続具に容易に取り付けることができる。そして、取り付けられた状態では、第１の磁石と第２の磁石の吸引力によって、接続具が被接続具から取り外れるのを防止することができる。
【００１２】
請求項３および請求項４に記載の発明によれば、簡易な構造で第２の磁石の磁極の位置を移動させ、第２の磁石を第１の磁石に対向させることができる。
【発明を実施するための最良の形態】
【００１３】
以下、この発明を図示の実施の形態に基づいて説明する。
【００１４】
（実施の形態１）
図１は、本発明の実施の形態１に係わる差込接続器が制御装置の端子差込板１に配設された状態を示す正面図である。端子差込板１は、Ｕリンク差込口（被接続具）２などの多種の接続具差込口などが複数配列されている。
【００１５】
差込接続器は、図２に示すように、Ｕリンク差込口２とＵリンク（接続具）５から構成されている。Ｕリンク差込口２は、端子差込板１の一部でＵリンク５を取り付けるもので、図３、４に示すように、Ｕリンク５を差し込む４つの挿入孔２Ａを備えている。上側の挿入孔２Ａの上方には窪み２Ｂが形成され、下側の挿入孔２Ａの下方には窪み２Ｃが形成され、窪み２Ｂに永久磁石（第１の磁石）３が配設され、窪み２Ｃに永久磁石（第１の磁石）４が配設されている。永久磁石３、４は、図４に示すように、Ｕリンク側（図中右側）にＮ極が位置するように嵌め込まれ、保持板２Ｄによって外れないように保持されている。永久磁石３、４としてはゴム磁石、フェライト磁石、アルニコ磁石など様々なものが使用可能である。
【００１６】
Ｕリンク５は、図２、５に示すように、収容体６と、プラグ端子８および磁石装置１０、１１を備えている。プラグ端子８は、収容体６の正面壁６Ａに４本配設され、Ｕリンク差込口２の挿入孔２Ａに挿入されように形成、配置されている。収容体６の背面壁６Ｄには、接続プラグ（図示せず）を挿入させる穴が形成され、収容体６の上壁６Ｂと下壁６Ｃには、後述する磁石装置１０、１１の操作部１４Ｂを貫通させる操作穴７Ａが形成されている。
【００１７】
磁石装置１０は、図５、６に示すように、収容体６の上壁６Ｂの中央の正面壁６Ａ側に配設され、収納体１２と、Ｕリンク用磁石（第２の磁石）１３と、操作体１４およびコイルバネ１５を備え、Ｕリンク差込口２の永久磁石３からの磁力を受け、Ｕリンク５の着脱を容易にするものである。収納体１２は、シリンダ状で操作体１４とＵリンク用磁石１３を移動可能に保持するものである。操作体１４は、基板部１４Ａと操作部１４Ｂを備えている。基板部１４Ａは、収容体６の上壁６Ｂの下側（Ｕリンク内）に上下に移動可能に配設されている。操作部１４Ｂは、収容体６の操作穴７Ａから突出するように基板部１４Ａの中央に配設され、Ｕリンク用磁石１３を上下に移動させるものである。また、操作部１４Ｂは、Ｕリンク用磁石１３を収納体１２内に十分に移動させるために、Ｕリンク用磁石１３の縦方向の長さの半分以上の長さであることが望ましい。コイルバネ１５は、収納体１２の下壁１２Ａの上に配設され、Ｕリンク用磁石１３と操作体１４を移動可能に保持するもので、コイルバネ１５の直径は収納体１２の内径よりも僅かに小さく、Ｕリンク用磁石１３を十分に移動させるために、コイルバネ１５のたわみ量はＵリンク用磁石１３の縦方向の長さの半分以上の長さであることが望ましい。
【００１８】
Ｕリンク用磁石１３は、収納体１２内に基板部１４Ａとコイルバネ１５で挟まれ、基板部１４Ａ側をＮ極、コイルバネ１５側をＳ極として配設されている。また、Ｕリンク用磁石１３は、通常の状態（操作部１４Ｂに外力が掛かっていない状態）で、図６に示すように、Ｕリンク差込口２にある永久磁石３のＮ極にＵリンク用磁石１３のＳ極が対向するように配設されている。一方、操作部１４Ｂに外力を掛けた状態では、図７に示すように、Ｕリンク用磁石１３が下に移動し、永久磁石３のＮ極にＵリンク用磁石１３のＮ極が対向するように配設されている。以上のように、操作体１４とコイルバネ１５によって駆動部が構成されている。
【００１９】
磁石装置１１は、図５に示すように、収容体６の下壁６Ｃの中央の正面壁６Ａ側に配設され、磁石装置１０と同等の構成を備えている。そして、通常の状態（操作部１４Ｂに外力が掛かっていない状態）で、Ｕリンク差込口２にある永久磁石４のＮ極にＵリンク用磁石１３のＳ極が対向するように配設されている。一方、操作部１４Ｂに外力を掛けた状態では、Ｕリンク用磁石１３が上に移動し、永久磁石４のＮ極にＵリンク用磁石１３のＮ極が対向するように配設されている。
【００２０】
次に、このような構成の差込接続器の使用方法などについて説明する。
【００２１】
まず、Ｕリンク５を取り付けるときには、操作体１４を押さずに、Ｕリンク差込口２の各挿入孔２ＡにＵリンク５の各プラグ端子８を挿入する。このとき、永久磁石３、４のＮ極とＵリンク用磁石１３のＳ極が対向し、Ｕリンク５がＵリンク差込口２に吸引される。次に、Ｕリンク５を取り外すときには、操作体１４を押しながら取り外す。このとき、Ｕリンク用磁石１３の磁極の位置が変わり、永久磁石３，４のＮ極とＵリンク用磁石１３のＮ極が対向し、Ｕリンク５がＵリンク差込口２から反発する。
【００２２】
以上のように、この実施の形態１における差込接続器によれば、操作体１４を押すだけで、Ｕリンク５がＵリンク差込口２から反発し（離れ）、Ｕリンク５をＵリンク差込口２から容易に取り外すことができる。また、Ｕリンク５を取り付けるときは、永久磁石３、４とＵリンク用磁石１３の吸引力によって、Ｕリンク５をＵリンク差込口２に容易に取り付けることができる。そして、取り付けられた状態では、永久磁石３、４とＵリンク用磁石１３の吸引力によってＵリンク５とＵリンク差込口２とが取り外れるのを防止することができる。
【００２３】
（実施の形態２）
この実施の形態２では、実施の形態１の磁石装置１０、１１を磁石装置２０に置き換えたもので、実施の形態１と同等の構成または相当する構成については、同一符号を付して説明を省略する。
【００２４】
磁石装置２０は、図８に示すように、収容体６の正面壁６Ａの中央に上壁６Ｂに直交する方向に配設され、コイルバネ１５と、Ｕリンク用磁石（第２の磁石）２１、２２と、軸部材２３と、上部操作体２４および下部操作体２５を備えている。磁石装置２０の一方の端部（図中上側）にある上部操作体２４は、上壁６Ｂの操作穴７Ａから突出し、また、磁石装置２０の他方の端部（図中下側）にある下部操作体２５は、下壁６Ｃの操作穴７Ａから突出するように配設されている。軸部材２３は、Ｕリンク用磁石２１、２２を移動可能に保持するものである。コイルバネ１５は、Ｕリンク用磁石２２と下壁６Ｃの間に下部操作体２５に巻かれるように、配設されている。
【００２５】
Ｕリンク用磁石２１は、軸部材２３と上部操作体２４の間に上部操作体２４側をＮ極、軸部材２３側をＳ極として配設され、操作穴７Ａよりも大きく設定されている。Ｕリンク用磁石２２は、軸部材２３と下部操作体２５の間に下部操作体２５側をＳ極、軸部材２３側をＮ極として配設され、操作穴７Ａよりも大きく設定されている。また、通常の状態（上部操作体２４に外力が掛かっていない状態）で、Ｕリンク差込口２にある永久磁石３、４のＮ極にＵリンク用磁石２１、２２のＳ極が対向するように配設されている。一方、上部操作体２５に外力を掛けた状態では、磁石装置２０が下方に移動し、永久磁石３、４のＮ極にＵリンク用磁石２１、２２のＮ極が対向するように配設されている。以上のように、軸部材２３と上部操作体２４と下部操作体２５およびコイルバネ１５によって駆動部が構成されている。
【００２６】
次に、このような構成の差込接続器の使用方法などについて説明する。
【００２７】
まず、Ｕリンク５を取り付けるときには、上部操作体２４を押さずに、Ｕリンク差込口２の各挿入孔２ＡにＵリンク５の各プラグ端子８を挿入する。このとき、永久磁石３、４のＮ極とＵリンク用磁石２１、２２のＳ極とが対向し、Ｕリンク５がＵリンク差込口２に吸引される。次に、Ｕリンク５を取り外すときには、上部操作体２４を押しながら取り外す。このとき、Ｕリンク用磁石２１、２２の磁極の位置が変わり、永久磁石３，４のＮ極とＵリンク用磁石２１、２２のＮ極とが対向し、Ｕリンク５がＵリンク差込口２から反発する。
【００２８】
以上のように、この実施の形態２における差込接続器によれば、上部操作体２４の操作だけでＵリンク用磁石２１、２２を動かし磁極の位置を移動させることが可能となり、しかも、実施の形態１と同様の効果を達成することができる。
【００２９】
（実施の形態３）
この実施の形態３では、実施の形態１の磁石装置１０、１１を磁石装置３０に置き換えたもので、実施の形態１と同等の構成または相当する構成については、同一符号を付して説明を省略する。
【００３０】
磁石装置３０は、収容体６の正面壁６Ａの中央に上壁６Ｂに直交する方向に配設され、図９に示すように、操作体３２と、軸部材３３と、Ｕリンク用磁石（第２の磁石）３４、３５および回転留具３６を備えている。軸部材３３は、Ｕリンク用磁石３４、３５を移動可能に保持するものである。操作体３２は、上壁６Ｂの操作穴７Ａから貫通された軸部材３３に接続され、軸部材３３を回転させるものである。操作体３２の上部には、つまみ３２Ａを備え、つまみ３２Ａの一方の端部には、Ｕリンク用磁石３４、３５のＮ極の向きを示す目印３２Ｂが設けられている。
【００３１】
Ｕリンク用磁石３４は、上壁６Ｂの下側で軸部材３３の上部に配設され、Ｕリンク用磁石３５は、軸部材３３の下方に配設されている。また、Ｕリンク用磁石３４、３５は、略円柱形状で一方の半円部をＮ極とし、他方の半円部をＳ極とし、目印３２Ｂのある方をＮ極として配設されている。
【００３２】
回転留具３６は、操作体３２の回転を防止するもので、操作体３２横（背面壁６Ｄ側）に配設され、固定体３６Ａと駆動体３６Ｂを備えている。固定体３６Ａは、上壁６Ｂに固定され、駆動体３６Ｂを移動可能に保持する溝３６Ａ１を備えている。駆動体３６Ｂは、中央にスリット３６Ｂ１が形成され、固定体３６Ａとの接触面に、突起３６Ｂ２が形成されている。スリット３６Ｂ１は、磁石装置３０の操作体３２のつまみ３２Ａを挟むことによって、磁石装置３０の回転を防止するものである。突起３６Ｂ２が溝３６Ａ１に挿入された状態で、駆動体３６Ｂが固定体３６Ａ上をスライドできるようになっている。以上のように、操作体３２と軸部材３３によって駆動部が構成されている。
【００３３】
次に、このような構成の差込接続器の使用方法などについて説明する。
【００３４】
まず、Ｕリンク５を取り付けるときには、目印３２Ｂが背面壁６Ｄ側を向くように、つまみ３２Ａを回転させる。そして、Ｕリンク差込口２の各挿入孔２ＡにＵリンク５の各プラグ端子８を挿入する。このとき、永久磁石３、４のＮ極とＵリンク用磁石３４、３５のＳ極が対向し、Ｕリンク５がＵリンク差込口２に吸引される。次に、Ｕリンク５を取り外すときには、目印３２Ｂが正面壁６Ａ側を向くようにつまみ３２Ａを１８０度回転させる。そして、駆動体３６Ｂを動かしてスリット３６Ｂ１でつまみ３２Ａを挟み、軸部材３３（Ｕリンク用磁石３４、３５）を固定してＵリンク５を取り外す。このとき、Ｕリンク用磁石３４、３５の磁極の位置が変わり、永久磁石３，４のＮ極とＵリンク用磁石３４、３５のＮ極が対向し、Ｕリンク５がＵリンク差込口２から反発する。
【００３５】
以上のように、この実施の形態３における差込接続器によれば、つまみ３２Ａの回転操作のみでＵリンク用磁石３４、３５を回転させて、磁極の位置を移動させることが可能となり、しかも、実施の形態１と同様の効果を達成することができる。
【００３６】
（実施の形態４）
この実施の形態４では、実施の形態１の磁石装置１０、１１を磁石装置４０に置き換えたもので、実施の形態１と同等の構成または相当する構成については、同一符号を付して説明を省略する。
【００３７】
図１０は、磁石装置４０が配設された状態を示す側面図である。収容体６は、上壁６Ｂと下壁６Ｃの正面壁６Ａ側に突起穴７Ｂが形成され、背面壁６Ｄ側に突起穴７Ｃが形成され、背面壁６Ｄの中央の上部と下部に後述する操作体４２を貫通させる操作穴７Ｄが形成されている。また、正面壁６Ａの内側の中央の上部と下部には、磁石装置４０、４１を移動可能に保持する保持部９を備えている。保持部９は、略四角筒状で、正面壁６Ａと直行する方向に空洞９Ａが形成され、この空洞９Ａに後述するＵリンク用磁石（第２の磁石）４３が挿入されるように配設されている。
【００３８】
磁石装置４０は、正面壁６Ａに直交するように上壁６Ｂ側に配設され、操作体４２と、Ｕリンク用磁石４３と、コイルバネ４４および基本材４５を備えている。基本材４５は、略四角柱形状で、操作穴７Ｄから基本材４５が突出するのを防止するために、断面形状が操作穴７Ｄよりも大きく設定されている。また、基本材４５は、中央に溝４５Ａを備え、この溝４５Ａの一方の端部（Ｕリンク用磁石４３側）から溝４５Ａの他方の端部の上方に向かって伸びる固定部４５Ｂを備えている。固定部４５Ｂは、ある程度強度があり、弾性変形可能で、先端部である突起４５Ｃに外力を加える（押す）と溝４５Ａ方向に曲がり、外力を解除すると元の位置に戻るように構成されている。突起４５Ｃは、突起穴７Ｂまたは突起穴７Ｃから突出し基本材４５を保持するものである。操作体４２は、基本材４５の一方の端部（背面壁６Ｄ側）に操作穴７Ｄから突出するように形成されている。
【００３９】
Ｕリンク用磁石４３は、略四角柱形状で、基本材４５の他方の端部（正面壁６Ａ側）に正面壁６Ａ側をＮ極、基本材４５側をＳ極とし、突起４５Ｃが突起穴７Ｂから突出しているときに永久磁石３のＮ極からの磁力を受ける位置に配設されている。また、Ｕリンク用磁石４３は、Ｕリンク用磁石４３のＮ極側が保持部９の空洞９Ａにスライド自在になるように、空洞９Ａより僅かに小さく形成されている。コイルバネ４４は、その内側にＵリンク用磁石４３が挿入され、保持部９と基本材４５に挟まれるように配設され、基本材４５（Ｕリンク用磁石４３）を背面壁６Ｄ側に押圧するものである。以上のように、操作体４２とコイルバネ４４および基本材４５によって駆動部が構成されている。磁石装置４０と同等の構成のものが、正面壁６Ａと直交するように下壁６Ｃ側に配設されている。
【００４０】
次に、このような構成の差込接続器の使用方法などについて説明する。
【００４１】
図１０に示すように、突起４５Ｃが突起穴７Ｃから突出しているときに、操作体４２に外力を加える（押す）と、突起４５Ｃと突起穴７Ｃの嵌合が解除される。そして、突起４５Ｃが正面壁６Ａ側（図中左側）に移動し突起穴７Ｂから突出し、Ｕリンク用磁石４３が正面壁６Ａに近づきコイルバネ４４が縮んだ状態で保持される。一方、突起４５Ｃが突起穴７Ｂから突出しているときに、突起４５Ｃに外力を加えると、突起４５Ｃと突起穴７Ｂの嵌合が解除される。そして、コイルバネ４４の弾性力によって突起４５Ｃが背面壁６Ｄ側（図中右側）に移動し、突起穴７Ｃから突出し嵌合される。
【００４２】
したがって、Ｕリンク５を取り外すときには、操作体４２に外力を加え突起４５Ｃが突起穴７Ｂから突出している状態でＵリンク５を取り外す。このとき、永久磁石３，４のＮ極とＵリンク用磁石４３のＮ極が対向しＵリンク５がＵリンク差込口２から反発する。また、Ｕリンク５を取り付けるときには、突起４５Ｃが突起穴７Ｂから突出していないのを確認する。そして、突出している状態では、突起４５Ｃに外力を加え突起４５Ｃが突起穴７Ｃから突出している状態にし、Ｕリンク５を取り付ける。このとき、Ｕリンク用磁石４３と永久磁石３、４は離れているので、Ｕリンク用磁石４３と永久磁石３、４は、反発も吸引もしない。
【００４３】
以上のように、この実施の形態４における差込接続器によれば、操作体４２を押すだけで、Ｕリンク５がＵリンク差込口２から反発（離れ）し、Ｕリンク５をＵリンク差込口２から容易にＵリンク５をＵリンク差込口２から外すことができる。
【００４４】
（実施の形態５）
この実施の形態５では、実施の形態１の磁石装置１０、１１を磁石装置５０に置き換えたもので、実施の形態１と同等の構成または相当する構成については、同一符号を付して説明を省略する。
【００４５】
収容体６は、上壁６Ｂと下壁６Ｃの中央に正面壁６Ａに直交する方向に、後述するラック５２を移動可能に保持する長方形状のスライド穴７Ｅが形成されている。
【００４６】
磁石装置５０は、図１１に示すように、上壁６Ｂ側に配設され、ラック５２と、歯車（ピニオン）５３と、歯車軸５４と、接続軸５５と、Ｕリンク用磁石（第２の磁石）５６および磁石軸５７を備えている。ラック５２は、操作部５２Ａと、保持部５２Ｂおよびラック部５２Ｃを備え、歯車５３を回転させるものである。操作部５２Ａは、上壁６Ｂの上側に配設され、ラック５２をスライド穴７Ｅに沿って移動させるものである。ラック部５２Ｃは、上壁６Ｂの下側に配設され、歯車５３と噛み合うように配設されている。保持部５２Ｂは、操作部５２Ａとラック部５２Ｃに挿まれるように収容体６のスライド穴７Ｅに挿入され、ラック５２を移動可能に保持するものである。歯車５３は、中心を軸にして回転自在に配設され、側面に接続軸５５の一端部が回転自在に取り付けられている。
【００４７】
Ｕリンク用磁石５６は、中央部５６Ａを中心に回転自在に配設され、中央部５６Ａを境に一方をＳ極、他方をＮ極として、Ｓ極側には接続軸５５の他端部が回転自在に取り付けられている。また、接続軸５５は、図１１に示すように、ラック５２が正面壁６Ａ側にあるときに、Ｕリンク用磁石５６のＳ極が正面壁６Ａ側を向くように接続されている。以上のように、ラック５２と歯車５３および接続軸５５によって駆動部が構成されている。磁石装置５０と同等の構成のものが、下壁６Ｃ側に配設されている。
【００４８】
次に、このような構成の差込接続器の使用方法などについて説明する。
【００４９】
操作部５２Ａが正面壁６Ａ側にある状態（Ｕリンク用磁石５６のＳ極が永久磁石３、４と対向している状態）で、操作部５２Ａを背面壁６Ｄ側に移動させると、歯車５３が回転し、接続軸５５を介してＵリンク用磁石５６が回転する。そして、操作部５２Ａを半分まで移動させたとき、Ｕリンク用磁石５６のＳ極が上壁６Ｂ側を向く状態になる。さらに、操作部５２Ａを背面壁６Ｄ側に移動させると、Ｕリンク用磁石５６のＮ極が正面壁６Ａ側を向くようになる（図１１の括弧で示す極性のようになる）。したがって、Ｕリンク５を取り付けるには、操作部５２Ａを正面壁６Ａ側に移動させてＵリンク５を取り付ける。このとき、永久磁石３、４のＮ極とＵリンク用磁石５６のＳ極が対向し、Ｕリンク５がＵリンク差込口２に吸引される。また、Ｕリンク５を取り外すときには、操作部５２Ａを背面壁６Ｄ側に移動させてＵリンク５を取り外す。このとき、Ｕリンク用磁石５６の磁極の位置が変わり、永久磁石３，４のＮ極とＵリンク用磁石５６のＮ極が対向し、Ｕリンク５がＵリンク差込口２から反発する。
【００５０】
以上のように、この実施の形態５における差込接続器によれば、ラック５２をスライドさせるだけでＵリンク用磁石５６を動かし磁極の位置を移動させることが可能となり、しかも、実施の形態１と同様の効果を達成することができる。
【００５１】
以上、この発明の各実施の形態を詳述してきたが、具体的な構成はこの実施の形態に限られるものではなく、この発明の要旨を逸脱しない範囲の設計の変更等があっても、この発明に含まれる。例えば、各実施の形態では、差込接続器はＵリンク５とＵリンク差込口２から構成されているが、その他の差込接続器にも適用でき、例えば、プラグ（接続具）とコンセント（被接続具）から構成される差込接続器にも適用できる。また、各実施の形態では、Ｕリンク用磁石を２個配設しているが、磁力の大きさなどによっては、１個または３個以上であってもよい。
【図面の簡単な説明】
【００５２】
【図１】本発明の実施の形態１に係わる差込接続器が制御装置の端子差込板に配設された状態を示す正面図である。
【図２】図１の差込接続器の斜視図である
【図３】図２の差込接続器のＵリンク差込口の正面図である。
【図４】図３のＸ−Ｘ断面図である。
【図５】図２の差込接続器のＵリンクの斜視図である。
【図６】図２の差込接続器のＵリンク差込口とＵリンクとの関係を示す断面図である。
【図７】図６の状態から操作部を押した状態を示す断面図である。
【図８】実施の形態２のＵリンクの磁石装置の側面図である。
【図９】実施の形態３のＵリンクの磁石装置の斜視図である。
【図１０】実施の形態４のＵリンクの磁石装置の側面図である。
【図１１】実施の形態５のＵリンクの磁石装置の側面図である。
【符号の説明】
【００５３】
１          端子差込板
２          Ｕリンク差込口（被接続具）
３、４      永久磁石（第１の磁石）
５          Ｕリンク（接続具）
６          収容体
８          プラグ端子
９          保持部
１０、１１  磁石装置
１２        収納体
１３        Ｕリンク用磁石（第２の磁石）
１４        操作体
１５        コイルバネ
２０        磁石装置
２１、２２  Ｕリンク用磁石（第２の磁石）
２３        軸部材
２４        上部操作体
２５        下部操作体
３０        磁石装置
３２        操作体
３３        軸部材
３４、３５  Ｕリンク用磁石（第２の磁石）
３６        回転留具
４０        磁石装置
４２        操作体
４３        Ｕリンク用磁石（第２の磁石）
４４        コイルバネ
４５        基本材
５０        磁石装置
５２        ラック
５３        歯車
５４        歯車軸
５５        接続軸
５６        Ｕリンク用磁石（第２の磁石）
５７        磁石軸
【図１】
0005171365.tif 000002
【図２】
0005171365.tif 000003
【図３】
0005171365.tif 000004
【図４】
0005171365.tif 000005
【図５】
0005171365.tif 000006
【図６】
0005171365.tif 000007
【図７】
0005171365.tif 000008
【図８】
0005171365.tif 000009
【図９】
0005171365.tif 000010
【図１０】
0005171365.tif 000011
【図１１】
0005171365.tif 000012